(57)【特許請求の範囲】
【請求項１】
外部から伝送されてきた、デジタルストリームデータが変調された周波数信号の伝送品質を評価するシステムであって、
前記周波数信号を受信して複数の周波数信号に分配する分配手段と、
前記複数の周波数信号の内の少なくとも１つの周波数信号の状態を表す状態値を変化させる変化手段と、
前記状態値が変化された周波数信号を含む複数の周波数信号に基づいて複数のデジタルストリームデータを復調する手段と、
復調された複数のデジタルストリームデータの差分を演算し、その演算結果に応じて、前記変化手段を介して前記少なくとも１つの周波数信号の状態値の変化方向および変化量の内の少なくとも一方を制御する制御手段と、
を備えたことを特徴とする伝送品質評価システム。
【請求項２】
前記周波数信号の状態値は、その周波数信号の受信レベル値、当該周波数信号の位相値および前記周波数信号に含まれるノイズ値の内の少なくとも１つを含むことを特徴とする請求項１記載の伝送品質評価システム。
【請求項３】
前記制御手段は、前記複数のデジタルストリームデータの差分演算結果が０から変化する毎に、その変化点に対応する前記周波数信号の状態値を離散データとして記憶する手段と、記憶された複数の離散データを補間して前記状態値の変化曲線を求める手段と、求められた変化曲線が収束するスレショールドレベルを求め、求めたスレショールドレベルに対応する前記状態値を、前記変化手段における前記伝送品質評価基準値に設定する手段とを備えたことを特徴とする請求項１または２記載の伝送品質評価システム。
【請求項４】
前記デジタルストリームデータは、所定のチャンネルの複数のプログラムに対応する複数のデジタルデータがＯＦＤＭ（直交周波数多重方式）により変調されたトランスポートストリームデータを含み、前記復調手段は、前記複数の周波数信号から所定のチャンネルに対応する周波数信号をチューニングする手段と、チューニングされた所定のチャンネルに対応する周波数信号を前記ＯＦＤＭにより復調して前記所定のチャンネルのトランスポートストリームデータを得る手段とを備えたことを特徴とする請求項１乃至３の内の何れか１項記載の伝送品質評価システム。
【請求項５】
前記状態値が変化された周波数信号以外の周波数信号に対応するデジタルストリームデータに基づいて、当該デジタルストリームデータのビットエラーレートを計測する手段をさらに備えたことを特徴とする請求項１乃至４の内の何れか１項記載の伝送品質評価システム。
【請求項６】
外部から伝送されてきた、デジタルストリームデータが変調された周波数信号を受信して複数の周波数信号に分配する分配手段、当該分配された複数の周波数信号の内の少なくとも１つの周波数信号の状態を表す状態値を変化させる変化手段および前記状態値が変化された周波数信号を含む複数の周波数信号に基づいて複数のデジタルストリームデータを復調する復調手段をそれぞれ有するシステムに適用されるコンピュータが実行可能な伝送品質評価プログラムであって、
コンピュータに、前記復調された複数のデジタルストリームデータの差分を演算し、その演算結果に応じて前記変化手段を介して前記周波数信号の状態値の変化方向および変化量の内の少なくとも一方を制御する制御処理を実行させることを特徴とする伝送品質評価プログラム。
【請求項７】
前記周波数信号の状態値は、その周波数信号の受信レベル値、当該周波数信号の位相値および前記周波数信号に含まれるノイズ値の内の少なくとも１つを含むことを特徴とする請求項６記載の伝送品質評価プログラム。
【請求項８】
前記コンピュータに、前記制御処理として、前記複数のデジタルストリームデータの差分演算結果が０から変化する毎に、その変化点に対応する前記周波数信号の状態値を離散データとして記憶する処理と、記憶された複数の離散データを補間して前記状態値の変化曲線を求める処理と、求められた変化曲線が収束するスレショールドレベルを求め、求めたスレショールドレベルに対応する前記状態値を、前記変化手段における前記伝送品質評価基準値に設定する処理とをそれぞれ実行させることを特徴とする請求項６または７記載の伝送品質評価プログラム。
【請求項９】
外部から伝送されてきた、デジタルストリームデータが変調された周波数信号の伝送品質を評価する伝送品質評価方法であって、
前記周波数信号を受信して複数の周波数信号に分配するステップと、
前記複数の周波数信号の内の少なくとも１つの周波数信号の状態を表す状態値を変化させるステップと、
前記状態値が変化された周波数信号を含む複数の周波数信号に基づいて複数のデジタルストリームデータを復調するステップと、
復調された複数のデジタルストリームデータの差分を演算し、その演算結果に応じて、前記変化ステップを介して前記周波数信号の状態値の変化方向および変化量の内の少なくとも一方を制御するステップと、
を備えたことを特徴とする伝送品質評価方法。
【請求項１０】
前記周波数信号の状態値は、その周波数信号の受信レベル値、当該周波数信号の位相値および前記周波数信号に含まれるノイズ値の内の少なくとも１つを含むことを特徴とする請求項９記載の伝送品質評価方法。
【発明の詳細な説明】
【０００１】
【産業上の利用分野】
本発明は、例えば、放送／中継局や放送／通信衛星等の外部設備から伝送されてきた、デジタルストリームデータが変調された周波数信号｛有線周波数信号／無線周波数信号｝の伝送品質を評価する伝送品質評価方法およびシステム、ならびに伝送品質評価プログラムに関する。
【０００２】
【従来の技術】
近年、ＢＳ（放送衛星）デジタル放送やＣＳ（通信衛星）デジタル放送等、放送信号のデジタル化が急速に進展しており、地上波放送においても、２０１１年までにデジタル化されることが決定されている。
【０００３】
上記ＢＳ／ＣＳデジタル放送や地上波放送においては、映像信号、音声信号等のマルティメディア信号は、ＡＤ変換された後、所定の圧縮方式に従って圧縮される。この圧縮されたマルティメディアデータは、所定のパケット構造を有するＴＳ（トランスポートストリーム）データとして多重化され、この多重化されたＴＳデータは、誤り訂正処理等が施された後、対応する搬送波（衛星放送波、地上波）を介してデジタル変調されて伝送される。
【０００４】
ところで、上記ＴＳデータ、インターネット等を介して伝送されるビットストリームデータ等のデジタルストリームデータ（デジタルシリアルデータ）は、周囲の環境からの影響により、その伝送品質が劣化しやすい。したがって、デジタルストリームデータの伝送品質を計測・評価して、周囲環境等の影響により劣化したか否かを判定する処理が行われている。
【０００５】
デジタルストリームデータの伝送品質を表すものとして、従来では、ビットエラーレートが用いられている。すなわち、基準となるデジタルストリームデータ列と外部から受信したデジタルストリームデータ列とを互いに同期させた状態で比較して、消滅したビットや不要に発生したビット等のエラービットの数を計測し、その計測ビット数の送信ビット数に対する割合（ビットエラーレート；ＢＥＲ（Bit Error Rate））を上記デジタルストリームデータの伝送品質として表している。
【０００６】
例えば、上記ＴＳデータのＢＥＲにおける有線に相当する基準は、２×１０-4であり、この基準２×１０-4を上回るＢＥＲが発生すると、伝送品質（画像データにおいては画質）が破綻する（正確な再生が不可能となる）。
【０００７】
【発明が解決しようとする課題】
しかしながら、上記ビットエラーは、必ずしもデジタルストリームデータに対して周期的に発生するわけではなく、長時間に亘って正確なデジタルストリームデータの伝送が行われた後、ビットエラーが短時間において局所的に発生することが多い。
【０００８】
したがって、ＢＥＲを求めるためには、デジタルストリームデータの計測作業、基準ストリームデータとの比較作業等が長時間に亘って必要になり、伝送品質評価効率を悪化させていた。
【０００９】
また、デジタルストリームデータの計測機能、基準ストリームデータとの比較機能およびＢＥＲ算出機能等を含むＢＥＲ測定器は非常に高価であり、伝送品質評価自体のコストを上昇させていた。
【００１０】
さらに、上記ＢＥＲを用いた、例えば２×１０-4等の伝送品質評価基準は、画一的であり、デジタルストリームデータ送出系の周囲環境、デジタルストリーム受信系の周囲環境およびデジタルストリームデータ送出系および受信系間の伝送環境等とは関係が無い数値である。このため、上記デジタルストリームデータの周囲環境に依存した伝送品質を正確に反映させているものとは必ずしも言えず、デジタルストリームデータの伝送品質を正確に反映できる指標となる基準の開発が待望されていた。
【００１１】
本発明は、上述した事情に鑑みてなされたもので、ＢＥＲを用いることなく、デジタルストリームデータの伝送品質を正確に反映できる基準に基づいてデジタルストリームデータの伝送品質を評価することが可能な伝送品質評価方法およびシステム、ならびに伝送品質評価プログラムを提供することをその第１の目的とする。
【００１２】
また、本発明は、上述した事情に鑑みてなされたもので、上記デジタルストリームデータの伝送品質を正確に反映できる基準に従って伝送品質判定処理をＢＥＲを基準として用いた場合よりも非常に短時間で行うことができる伝送品質評価方法およびシステム、ならびに伝送品質評価プログラムを提供することをその第２の目的とする。
【００１３】
さらに、本発明は、上述した事情に鑑みてなされたもので、デジタルストリームデータの伝送品質評価コストを、従来のＢＥＲを用いた場合よりも大幅に低減することをその第３の目的とする。
【００１４】
【課題を解決するための手段】
本発明の第１の態様によれば、外部から伝送されてきた、デジタルストリームデータが変調された周波数信号の伝送品質を評価するシステムであって、前記周波数信号を受信して複数の周波数信号に分配する分配手段と、前記複数の周波数信号の内の少なくとも１つの周波数信号の状態を表す状態値を変化させる変化手段と、前記状態値が変化された周波数信号を含む複数の周波数信号に基づいて複数のデジタルストリームデータを復調する手段と、復調された複数のデジタルストリームデータの差分を演算し、その演算結果に応じて、前記変化手段を介して前記少なくとも１つの周波数信号の状態値の変化方向および変化量の内の少なくとも一方を制御する制御手段と、を備えている。
【００１５】
また、本発明の第２の態様によれば、外部から伝送されてきた、デジタルストリームデータが変調された周波数信号を受信して複数の周波数信号に分配する分配手段、当該分配された複数の周波数信号の内の少なくとも１つの周波数信号の状態を表す状態値を変化させる変化手段および前記状態値が変化された周波数信号を含む複数の周波数信号に基づいて複数のデジタルストリームデータを復調する復調手段をそれぞれ有するシステムに適用されるコンピュータが実行可能な伝送品質評価プログラムであって、コンピュータに、前記復調された複数のデジタルストリームデータの差分を演算し、その演算結果に応じて前記変化手段を介して前記周波数信号の状態値の変化方向および変化量の内の少なくとも一方を制御する制御処理を実行させる。
【００１６】
さらに、本発明の第３の態様によれば、外部から伝送されてきた、デジタルストリームデータが変調された周波数信号の伝送品質を評価する伝送品質評価方法であって、前記周波数信号を受信して複数の周波数信号に分配するステップと、前記複数の周波数信号の内の少なくとも１つの周波数信号の状態を表す状態値を変化させるステップと、前記状態値が変化された周波数信号を含む複数の周波数信号に基づいて複数のデジタルストリームデータを復調するステップと、復調された複数のデジタルストリームデータの差分を演算し、その演算結果に応じて、前記変化ステップを介して前記周波数信号の状態値の変化方向および変化量の内の少なくとも一方を制御するステップと、を備えている。
【００１７】
【発明の実施の形態】
以下、本発明に係わる伝送品質評価方法およびシステム、ならびに伝送品質評価プログラムについて図面を参照して説明する。
【００１８】
図１は、本発明の実施の形態に係わる伝送品質評価システム１の概略構成を示すブロック図である。
【００１９】
図１に示すように、伝送品質評価システム１は、放送／中継局や放送／通信衛星等の外部設備から伝送されてきた、所定のパケット構造を有するトランスポートストリームデータ（ＴＳ）データが変調された無線周波数信号｛ＲＦ（Radio Frequency） 信号｝ＲＦを受信するアンテナ２と、このアンテナ２を介して受信されたＲＦ信号ＲＦを同一の複数のＲＦ信号ＲＦ１およびＲＦ２に分配する分配器（ＤＩＶ）３とを備えている。
【００２０】
ＴＳデータは、複数の番組（チャンネル）それぞれの多重化されたマルティメディアデータが所定のパケット構造を有するデータとして多重化されて生成されている。
【００２１】
また、ＲＦ信号は、送信系の設備により、例えば直交周波数分割多重方式（Orthogonal Frequency Division Multiplexing; OFDM）を用いてＴＳデータをデジタル変調することにより生成されている。
【００２２】
以下、直交分割多重方式（ＯＦＤＭ）によるデジタル変調について説明する。
【００２３】
すなわち、シリアルのＴＳデータは、複数の互いに直交するサブキャリアに対応する複数の伝送シンボル毎のビット数単位に区切られる（直並列変換される）。
【００２４】
次いで、各区切られたブロックのデータは、各サブキャリアの周波数軸上の成分に割り当てられる。
【００２５】
そして、各サブチャンネルの搬送波の周波数軸上の成分に割り当てられたデータは、各シンボル期間毎に１回、時間軸上へ逆フーリエ変換されることにより、各周波数成分が合成された時間軸上のベースバンド（ＯＦＤＭ信号）が得られる。
【００２６】
このとき、各キャリアの変調方式は、例えば最大３つの階層毎に所定の変調方式｛ＱＡＭ（Quadrate Amplitude Modulation）、ＱＰＳＫ（Quarter Phase Shift Keying）等｝により選択・指定されている。
【００２７】
このようにして生成された、ＴＳデータをデジタル変調されたＯＦＤＭ信号は、高周波に周波数変換し、ＲＦ信号として送信系設備から出力されている。なお、このＯＦＤＭ信号に対しては、マルチパス歪を除去するためのガードインターバルを設ける（有効シンボルの前に当該シンボルの最後の変調信号を付加する）ことも可能である。
【００２８】
一方、伝送品質評価システム１は、分配されたＲＦ信号ＲＦ１およびＲＦ２を受信し、受信したＲＦ信号ＲＦ１およびＲＦ２の状態を表す状態値を変化させるための状態値変化ユニット４ａ１および４ａ２を備えている。
【００２９】
本実施形態において、ＲＦ信号ＲＦ１およびＲＦ２の状態を表す状態値は、ＲＦ信号ＲＦ１およびＲＦ２それぞれの受信レベル値、当該ＲＦ信号ＲＦ１およびＲＦ２それぞれの位相値および上記ＲＦ信号ＲＦ１およびＲＦ２それぞれに含まれるノイズ値である。
【００３０】
すなわち、状態値変化ユニット４ａ１および４ａ２は、対応するＲＦ信号ＲＦ１およびＲＦ２の受信レベル値を変化させるアッテネート機能、ＲＦ信号ＲＦ１およびＲＦ２の位相値を変化させる機能およびＲＦ信号ＲＦ１およびＲＦ２のノイズ値を変化（増減）させる機能をそれぞれ有している。
【００３１】
また、伝送品質評価システム１は、状態値変化ユニット４ａ１および４ａ２を介して送られてきたＲＦ信号ＲＦ１およびＲＦ２から、所望のチャンネルのＲＦ信号ＲＦ１ｎおよびＲＦ２ｎをそれぞれ選択（チューニング）するチューナ５ａ１および５ａ２を備えている。このチューナ５ａ１および５ａ２は、後述するＣＰＵ２０から送信される命令により、チューニングするチャンネルを設定可能になっている。
【００３２】
さらに、伝送品質評価システム１は、チューナ５ａ１および５ａ２によりチューニングされた所望のチャンネルのＲＦ信号ＲＦ１ｎおよびＲＦ２ｎを受信し、受信したＲＦ信号ＲＦ１ｎおよびＲＦ２ｎに対して、上述したデジタル変調処理とは逆のＯＦＤＭに基づくデジタル復調処理を実行して、所望のチャンネルに対応するＴＳデータを復調するＯＦＤＭモジュール１０ａ１および１０ａ２を備えている。
【００３３】
また、伝送品質評価システム１は、ＯＦＤＭモジュール１０ａ１および１０ａ２のデジタル復調処理において使用されるサブキャリアを生成するための水晶振動子１１ａ１および１１ａ２と、ＯＦＤＭモジュール１０ａ１および１０ａ２のデジタル復調処理においてデータ処理領域として使用される例えばＳＤＲＡＭ等のメモリ１２ａ１および１２ａ２とを備えている。
【００３４】
すなわち、ＯＦＤＭモジュール１０ａ１および１０ａ２は、入力されたＲＦ信号ＲＦ１ｎおよびＲＦ２ｎを周波数変換してＲＦ信号ＲＦ１ｎおよびＲＦ２ｎに対応するＯＦＤＭ信号ＯＦ１ｎおよびＯＦ２ｎを得る。そして、ＯＦＤＭモジュール１０ａ１および１０ａ２は、ＯＦＤＭ信号ＯＦ１ｎおよびＯＦ２ｎを直並列変換し、水晶振動子１１ａ１および１１ａ２から送られるサブキャリアを用いて上記ＯＦＤＭ信号ＯＦ１ｎおよびＯＦ２ｎをフーリエ変換し、各サブキャリアの周波数軸上のビット成分を求める。
【００３５】
次いで、ＯＦＤＭモジュール１０ａ１および１０ａ２は、求められた各サブキャリアの毎のビット成分を並直列変換する。この結果、ＲＦ信号ＲＦ１ｎおよびＲＦ２ｎに対応するＴＳデータＴＲＦ１ｎおよびＴＲＦ２ｎを復調することができる。
【００３６】
そして、本実施形態の伝送品質評価システム１は、状態値変化ユニット４ａ１・４ａ２、チューナ５ａ１・５ａ２およびＯＦＤＭモジュール１０ａ１・１０ａ２に対して通信可能であり、ＯＦＤＭモジュール１０ａ１および１０ａ２により復調されたＴＳデータＴＲＦ１ｎおよびＴＲＦ２ｎを受信し、受信したＴＳデータＴＲＦ１ｎおよびＴＲＦ２ｎに基づいて、対応するＲＦ信号ＲＦの伝送品質を評価するための処理を実行するコンピュータとしてのＣＰＵ２０を備えている。
【００３７】
さらに、伝送品質評価システム１は、ＣＰＵ２０の処理に必要なデータやプログラムＰが記憶されたメモリ２１と、ＣＰＵ２０の伝送品質処理時のデータや処理結果を表示するためのモニタ２２と、ＣＰＵ２０に対してオペレータ側から指示命令等を入力するための入力部２３とを備えている。
【００３８】
メモリ２１に記憶されたプログラムＰは、ＣＰＵ２０を伝送品質評価手段として機能させるものであり、このプログラムＰは、インターネット等の通信回線を介してメモリ２１にダウンロードされてもよく、ＣＰＵ２０がアクセス可能な記憶媒体（フレキシブルディスク、ＣＤ−ＲＯＭ、ＣＤ−ＲＷ（Rewritable）等）を介してシステム１内に提供され、メモリ２１に記憶されてもよい。
【００３９】
次に本実施形態の全体動作について、特にＣＰＵ２０の伝送品質評価処理について説明する。
まず、オペレータは、伝送品質評価を行いたい所望のチャンネルを選択し、選択されたチャンネルのチューニング指令を入力部２３を介してＣＰＵ２０に入力する。ＣＰＵ２０は、入力されたチューニング指令に応じて、チューナ５ａ１および５ａ２に対して、選択チャンネルのチューニング命令を送信する。この結果、チューナチューナ５ａ１および５ａ２は、チューニングするチャンネルを選択チャンネルに設定する。
【００４０】
一方、アンテナ２を介して受信されたＲＦ信号ＲＦは、分配器３によりＲＦ信号ＲＦ１およびＲＦ２に分配された後、状態値変化ユニット４ａ１および４ａ２に送られる。
【００４１】
このとき、ＣＰＵ２０は、状態値変化ユニット４ａ１および４ａ２の内、一方（本実施形態では、状態値変化ユニット４ａ２とする）に対して、ＲＦ信号ＲＦ２の状態を表す状態値として、例えば入力レベル値ＩＬを所定方向（低下方向）に所定量（所定ｄＢ）ずつ変化させる制御命令を送信している（後掲図２のステップＳ１参照）。
【００４２】
この結果、状態値変化ユニット４ａ２に送られたＲＦ信号ＲＦ２は、その入力レベル値ＩＬが所定量ずつ低下しながらチューナ５ａ２に送信される。
【００４３】
以下、ＲＦ信号の状態を表す状態値を変化させずに現在の状態そのものを表すＲＦ信号（状態値変化ユニット４ａ１からチューナ５ａ１に送信されたＲＦ信号ＲＦ１）の符合を特にＲＦ１（ＲＥＦ）と記載する。
【００４４】
チューナ５ａ１および５ａ２を介して選択チャンネルにチューニングされたＲＦ信号ＲＦ１ｎ（ＲＥＦ）およびＲＦ２ｎは、ＯＦＤＭ１０ａ１および１０ａ２を介してデジタル復調され、ＲＦ信号ＲＦ１ｎおよびＲＦ２ｎに対応するＴＳデータＴＲＦ１ｎ（ＲＥＦ）およびＴＲＦ２ｎが復調される。復調されたＴＳデータＴＲＦ１ｎ（ＲＥＦ）およびＴＲＦ２ｎは、ＣＰＵ２０に入力される。
【００４５】
このとき、ＣＰＵ２０は、メモリ２１に記憶されたプログラムＰに従って、図２に示す伝送品質評価処理を実行する。
【００４６】
すなわち、ＣＰＵ２０は、状態値変化ユニット４ａ２を介してＲＦ信号ＲＦ２の入力レベル値ＩＬを所定方向（低下方向）に所定量（所定ｄＢ）ずつ変化させながら、入力されたＴＳデータＴＲＦ１ｎ（ＲＥＦ）とＴＳデータＴＲＦ２ｎとの差分値△ＴＲＦを演算する（ステップＳ１）。
【００４７】
次いで、ＣＰＵ２０は、演算した差分値△ＴＲＦが０から変化したか否か、すなわち、入力されたＴＳデータＴＲＦ１ｎ（ＲＥＦ）とＴＳデータＴＲＦ２ｎとの間にビットエラーが発生したか否か（ビットエラーが未発生の場合は差分値ΔＴＲＦは０であり、ビットエラーが発生した場合に差分値ΔＴＲＦが０から変化する）を判断する（ステップＳ２）。
【００４８】
ステップＳ２の判断の結果NO、すなわち、演算した差分値△ＴＲＦが０から変化しない場合には、ＣＰＵ２０は、ステップＳ１およびＳ２の処理、すなわち、入力レベル値ＩＬを所定方向（低下方向）に所定量（所定ｄＢ）ずつ変化させながら差分値△ＴＲＦを演算し、演算結果△ＴＲＦが０から変化したか否かを判断する処理を継続する。
【００４９】
一方、ステップＳ２の判断の結果ＹＥＳ、すなわち、演算した差分値△ＴＲＦが０から変化した場合には、ステップＳ２の判断の結果はＹＥＳ（ビットエラー発生）となり、ＣＰＵ２０は、その変化が発生した変化点Ｃ１の値（変化点Ｃ１の入力レベル値ＩＬ（Ｃ１））を離散データとしてメモリ２１に記憶する（ステップＳ３）。
【００５０】
また、ＣＰＵ２０は、演算結果△ＴＲＦの変化発生タイミングに同期して、状態値変化ユニット４ａ２に対して、ＲＦ信号ＲＦ２の入力レベル値ＩＬを上記所定方向とは反対の方向（増加方向）に所定量（所定ｄＢ）ずつ変化させる制御命令を送信し、状態値変化ユニット４ａ２を介してＲＦ信号ＲＦ２の入力レベル値ＩＬを所定量ずつ増加させる。
【００５１】
そして、ＣＰＵ２０は、状態値変化ユニット４ａ２を介してＲＦ信号ＲＦ２の入力レベル値ＩＬを、それまでの方向（この場合、低下方向）とは反対の方向（この場合、増加方向）に所定量ずつ変化させながら、ＴＳデータＴＲＦ１ｎ（ＲＥＦ）とＴＳデータＴＲＦ２ｎとの差分値△ＴＲＦを演算する（ステップＳ４）。
【００５２】
続いて、ＣＰＵ２０は、ステップＳ２と同様に、演算した差分値△ＴＲＦが０から変化したか否かを判断する（ステップＳ５）。
【００５３】
このステップＳ５の判断の結果NO、すなわち、演算した差分値△ＴＲＦが０から変化していない場合には、ＣＰＵ２０は、ステップＳ５およびＳ６の処理、すなわち、入力レベル値ＩＬを増加方向に所定量ずつ変化させながら差分値△ＴＲＦを演算し、演算結果△ＴＲＦが０から変化したか否かを判断する処理を継続して行う。
【００５４】
一方、ステップＳ５の判断の結果ＹＥＳ、すなわち、演算した差分値△ＴＲＦが０から変化した場合には、ステップＳ５の判断の結果はＹＥＳ（ビットエラー発生）となり、ＣＰＵ２０は、その変化が発生した変化点Ｃ２の値（変化点Ｃ２の入力レベル値ＩＬ（Ｃ２））を離散データとしてメモリ２１に記憶する（ステップＳ７）。
【００５５】
次いで、ＣＰＵ２０は、メモリ２１に記憶した離散データに基づいて、例えば、微分演算、積分演算、比例演算等の線形補間処理を実行して、現在メモリ２１に記憶された離散データに基づく入力レベル値の変化曲線Ｆをメモリ２１上に作成し、作成した変化曲線Ｆをモニタ２２に表示する（ステップＳ８）。
【００５６】
続いて、ＣＰＵ２０は、作成された入力レベル値の変化曲線Ｆが収束しているか否か判断し、この判断の結果ＮＯ（未収束）の場合には、ＣＰＵ２０は、ステップＳ４〜Ｓ８の処理を継続して行う。
【００５７】
すなわち、ＣＰＵ２０は、入力レベル値ＩＬを、それまでの方向とは反対の方向に所定量（所定ｄＢ）ずつ変化させながら差分値△ＴＲＦを演算し、演算結果△ＴＲＦが０から変化したか否かを判断し、変化した際の変化点の値（離散データ）に基づく線形補間処理により入力レベル値の変化曲線Ｆを作成・表示する。
【００５８】
図３は、ＣＰＵ２０により作成されモニタ２２に表示された入力レベル値変化曲線Ｆを示す図である。
【００５９】
図３に示すように、入力レベル値変化曲線Ｆは、ステップＳ４の処理により入力レベル値の変化方向を交互に変化させているため、各変化点毎に周期的に変化し、次第に収束していく曲線となる。
【００６０】
そして、図３に示すように、ＣＰＵ２０により、入力レベル値変化曲線Ｆが、ある一定のレベル値に収束したと判断された場合には、ステップＳ８の判断の結果はＹＥＳとなり、ＣＰＵ２０は、収束するレベル値（スレショールドレベル値）を求め、求めたスレショールドレベル値に対応する入力レベル値ＩＬ（ＴＨ）（ｄＢ）を、各状態値変化ユニット４ａ１および４ａ２の入力レベルに関する伝送品質評価基準値に設定し、設定した伝送品質評価基準値ＩＬ（ＴＨ）（ｄＢ）を状態値変化ユニット４ａ１に送信する（ステップＳ９）。
【００６１】
なお、上記スレショールドレベル値は、モニタ２２に表示された入力レベル値変化曲線Ｆを視認しているオペレータから入力部２３を介してＣＰＵ２０に対して入力し、その入力データに基づいてＣＰＵ２０が設定することも可能である。
【００６２】
この結果、状態値変化ユニット４ａ１において、受信されたＲＦ信号の入力レベル値が、設定された入力レベルに関する伝送品質評価基準値ＩＬ（ＴＨ）（ｄＢ）を下回った場合には、上記ＲＦ信号の伝送通信品質が悪化したものと即座に判断することができる。
【００６３】
以上述べたように、本実施形態によれば、受信・分配された複数のＲＦ信号の内の一方（ＲＦ信号ＲＦ２）の状態を表す状態値（本実施形態では、入力レベル値）を故意に変化させながら、基準となるＴＳデータＴＲＦ１ｎ（ＲＥＦ）と状態値が変化したＴＳデータＴＲＦ２ｎとの差分値△ＴＲＦに基づいて、ＴＳデータにビットエラーが生じるか否かの評価基準（閾値）となる状態値（入力レベル値）を求めることができる。
【００６４】
すなわち、上記ＴＳデータにビットエラーが生じるか否かの評価基準（閾値）となる状態値（入力レベル値）を、実際に受信したＲＦ信号に対応するＴＳデータに対して生じるビットエラーを長時間に亘って収集する必要なく、上述した状態値変化ユニット４ａ２を介した入力レベル値変化処理を高速に行うことにより、非常に短時間で得ることができる。
【００６５】
したがって、従来のＢＥＲを用いた品質評価処理のように、ビットエラーの発生を長時間に亘って収集する必要がなくなり、伝送品質評価効率を大幅に向上させることができる。
【００６６】
また、本実施形態によれば、通常の能力を有するコンピュータ（ＣＰＵ）２０を用いたプログラムＰに基づく簡単な伝送品質評価処理｛基準となるＴＳデータＴＲＦ１ｎ（ＲＥＦ）と状態値が変化したＴＳデータＴＲＦ２ｎとの差分値△ＴＲＦを求める処理等｝により、伝送品質評価を行うことができる。このため、従来のＢＥＲ測定器を用いた場合と比べて、伝送品質評価自体のコストを大幅に低減させることができる。
【００６７】
そして、本実施形態において得られた伝送品質評価基準値（入力レベル値）は、実際に受信されたＲＦ信号に基づいて設定されている。このため、当該ＲＦ信号の送出系および受信系の周囲環境に対応した伝送品質を正確に反映させた、上記送受信系特有の伝送品質評価基準値（入力レベル値）を設定することができる。
【００６８】
なお、本実施形態によれば、ＲＦ信号の状態を表す状態値として、ＲＦ信号の受信レベル値を用いたが、本発明はこれに限定されるものではない。
【００６９】
すなわち、ＲＦ信号の状態を表す状態値として、ＲＦ信号の位相値を用いることも可能である。この場合、所定方向として、遅れ方向／進み方向に位相値を変化させればよく、ステップＳ１〜ステップＳ９と同等の処理を行うことにより、位相値変化に応じた差分値△ＴＲＦの０からの変化を検出して、位相値のスレショールドレベル値を伝送品質評価基準値として求めればよい。
【００７０】
また、ＲＦ信号の状態を表す状態値として、ＲＦ信号のノイズ値を用いることも可能である。この場合、所定方向として、ノイズ増加方向／減少方向にノイズ値を変化させればよく、ステップＳ１〜ステップＳ９と同等の処理を行うことにより、ノイズ値変化に応じた差分値△ＴＲＦの０からの変化を検出して、ノイズ値のスレショールドレベル値を伝送品質評価基準値として求めればよい。
【００７１】
なお、上記ＲＦ信号の状態を表す状態値として、入力レベル値、位相値およびノイズ値に限らず、ＲＦ信号の状態を表すパラメータであれば、何れのパラメータを用いることも可能である。
【００７２】
そして、本実施形態における状態値変化ユニットは、少なくとも１つの伝送品質評価基準値を求める対象となる状態値を変化させる機能を有していればよく、本実施形態のように複数の変化機能を有する構成でも、１つの変化機能を有するユニットを複数個組み合わせた構成であってもよい。
【００７３】
さらに、本実施形態では、ＲＦ信号の状態を表す１つの状態値（ＲＦ信号の受信レベル値）の伝送品質評価基準値を設定したが、本発明はこれに限定されるものではない。
【００７４】
例えば、ＲＦ信号の状態を表す複数の状態値（例えば、ＲＦ信号の受信レベル値、位相値、ノイズ値の内の少なくとも２つ）の伝送品質評価基準値をそれぞれ設定することも可能である。
【００７５】
さらに、本実施形態によれば、ＢＥＲを測定する機能をＣＰＵ２０に持たせる（プログラムＰにおけるステップＳ１〜Ｓ９の手順に、ＢＥＲの測定を同時に行わせる手順を加える）ことも可能である。
【００７６】
この変形例によれば、同時に測定されたＢＥＲを用いることにより、ＣＮ値のの劣化を検出することができ、伝送品質評価の信頼性をさらに向上させることができる。
【００７７】
そして、本実施形態では、ＲＦ信号を２つに分配し、２つの評価系（状態値変化ユニット４ａ１および４ａ２、チューナ５ａ１および５ａ２、ＯＦＤＭモジュール１０ａ１および１０ａ２）として構成したが、本発明はこれに限定されるものではない。
【００７８】
例えば、３以上の複数（ｍ）の評価系（状態値変化ユニット４ａ１〜４ａｍ、チューナ５ａ１〜５ａｍ、ＯＦＤＭモジュール１０ａ１〜１０ａｍ、水晶振動子１１ａ１〜１１ａｍ、メモリ１２ａ１〜１２ａｍ）を用いて伝送品質評価システム１を構成することも可能であり、３以上の複数（ｍ）に分配されたＲＦ信号を用いて上述した伝送品質評価処理を行うことも可能であり、評価時間をさらに高速化することができる。
【００７９】
本実施形態では、伝送品質の評価対象を、放送／中継局や放送／通信衛星等の外部設備から伝送されてきた、所定のパケット構造を有するトランスポートストリーム（ＴＳ）データが変調された無線周波数信号（ＲＦ信号）としたが、本発明はこれに限定されるものではない。
【００８０】
すなわち、外部から伝送されてきた、デジタルストリームデータが変調された周波数信号であれば、有線周波数信号でもよく、また、上記デジタルストリームデータが変調された周波数信号の伝送媒体としては、インターネット等の通信回線も含まれる。
【００８１】
【発明の効果】
以上述べたように、本発明によれば、複数の周波数信号の内の少なくとも１つの周波数信号の状態を表す状態値を変化させながら、複数のデジタルストリームデータの差分を演算し、その演算結果に応じて、前記周波数信号の状態値の変化方向および変化量の内の少なくとも一方を制御することができる。
【００８２】
この結果、少なくとも１つの周波数信号の状態値変化を高速に行うことにより、上記周波数信号の状態値に関する伝送品質評価基準値を非常に短時間で得ることができる。
【００８３】
したがって、従来のＢＥＲを用いた品質評価処理のように、ビットエラーの発生を長時間に亘って収集する必要がなくなり、伝送品質評価効率を大幅に向上させることができる。
【００８４】
また、本発明によれば、コンピュータに、復調された複数のデジタルストリームデータの差分を演算し、その演算結果に応じて変化手段を介して前記周波数信号の状態値の変化方向および変化量の内の少なくとも一方を制御する制御処理を実行さればよく、従来の高価なＢＥＲ測定器を用いる必要がないため、伝送品質評価自体のコストを大幅に低減させることができる。
【００８５】
そして、本発明によれば、上記周波数信号の状態値に関する伝送品質評価基準値を、実際に受信された周波数信号に基づいて設定することができる。このため、周波数信号の送出系および受信系の周囲環境に対応した伝送品質を正確に反映させた、上記送受信系特有の伝送品質評価基準値を設定することが可能になる。
【図面の簡単な説明】
【図１】本発明の実施の形態に係わる伝送品質評価システムの概略構成を示すブロック図。
【図２】図１に示すコンピュータの伝送品質評価処理の一例を示す概略フローチャート。
【図３】図１に示すＣＰＵにより作成されモニタに表示された入力レベル値変化曲線を示す図。
【符号の説明】
１  伝送品質評価システム
２  アンテナ
３  分配器
４ａ１、４ａ２  状態値変化ユニット
５ａ１、５ａ２  チューナ
１０ａ１、１０ａ２  ＯＦＤＭモジュール
１１ａ１、１１ａ２  水晶振動子
１２ａ１、１２ａ２、２１  メモリ
２０  ＣＰＵ
２２  モニタ
２３  入力部
Ｐ  プログラム
【図１】
0003881595.tif 000002
【図２】
0003881595.tif 000003
【図３】
0003881595.tif 000004